(57)【要約】【課題】固定的環境だけではなくモバイル環境においても広告コンテンツを視聴する場合に対応できる情報提供システムおよび情報提供方法を提供する。【解決手段】ホーム環境１６のホームサーバ１８およびテレビジョン受信機２０を用いて、視聴したい広告コンテンツを設定する。広告コンテンツ管理会社２２のサーバ２４から広告コンテンツを配信する。ホーム環境１６ではホームサーバ１８およびテレビジョン受信機２０を用いて広告コンテンツを視聴し、ホットスポット環境２６ではＰＤＡ３０を用いて広告コンテンツを視聴する。設定された広告コンテンツをＰＤＡ３０を用いて視聴したことをＰＤＡ３０からホームサーバ１８に通知する。ホームサーバ１８は、設定された広告コンテンツの視聴履歴情報をサーバ２４に通知する。【選択図】　　　　図１
2004005080.tif 000002
【特許請求の範囲】
【請求項１】
広告コンテンツを配信する配信装置、
前記配信装置からの広告コンテンツを固定的環境で視聴するための第１デジタル情報装置、および
前記配信装置からの広告コンテンツをモバイル環境で視聴するための第２デジタル情報装置を備え、
前記第１デジタル情報装置および前記第２デジタル情報装置の少なくともいずれか一方を用いて、視聴したい広告コンテンツを設定可能であり、
前記第１デジタル情報装置は、設定された前記広告コンテンツの視聴履歴情報を前記配信装置に通知する手段を含み、
前記第２デジタル情報装置は、設定された前記広告コンテンツを前記第２デジタル情報装置を用いて視聴したことを前記第１デジタル情報装置に通知する手段を含む、情報提供システム。
【請求項２】
広告コンテンツを配信する配信装置、
前記配信装置からの広告コンテンツを固定的環境で視聴するための第１デジタル情報装置、および
前記配信装置からの広告コンテンツをモバイル環境で視聴するための第２デジタル情報装置を備え、
前記第１デジタル情報装置および前記第２デジタル情報装置の少なくともいずれか一方を用いて、視聴したい広告コンテンツを設定可能であり、
前記第１デジタル情報装置は、設定された前記広告コンテンツの視聴履歴情報を前記配信装置に通知する手段を含み、
前記第２デジタル情報装置は、設定された前記広告コンテンツを前記第２デジタル情報装置を用いて視聴したことを前記第１デジタル情報装置を介さずに前記配信装置に通知する手段を含む、情報提供システム。
【請求項３】
広告コンテンツを固定的環境で視聴するための第１デジタル情報装置および広告コンテンツをモバイル環境で視聴するための第２デジタル情報装置を用いる情報提供方法であって、
視聴したい広告コンテンツを前記第１デジタル情報装置および前記第２デジタル情報装置の少なくともいずれか一方を用いて設定し配信装置に通知するステップ、
設定された前記広告コンテンツを前記配信装置から前記第１デジタル情報装置および／または前記第２デジタル情報装置に送信するステップ、
前記第２デジタル情報装置によって前記広告コンテンツを視聴したことを前記第２デジタル情報装置から前記第１デジタル情報装置に通知するステップ、ならびに
前記第１デジタル情報装置と前記第２デジタル情報装置とによる前記広告コンテンツの視聴履歴情報を前記第１デジタル情報装置から前記配信装置に送信するステップを備える、情報提供方法。
【請求項４】
広告コンテンツを固定的環境で視聴するための第１デジタル情報装置および広告コンテンツをモバイル環境で視聴するための第２デジタル情報装置を用いる情報提供方法であって、
視聴したい広告コンテンツを前記第１デジタル情報装置および前記第２デジタル情報装置の少なくともいずれか一方を用いて設定し配信装置に通知するステップ、
設定された前記広告コンテンツを前記配信装置から前記第１デジタル情報装置および／または前記第２デジタル情報装置に送信するステップ、
前記広告コンテンツの視聴履歴情報を前記第１デジタル情報装置から前記配信装置に送信するステップ、ならびに
前記第２デジタル情報装置によって前記広告コンテンツを視聴したことを前記第２デジタル情報装置から前記第１デジタル情報装置を介さずに前記配信装置に通知するステップを備える、情報提供方法。
【発明の詳細な説明】
【０００１】
【発明の属する技術分野】
この発明は情報提供システムおよび情報提供方法に関し、より特定的には、ユーザが能動的に広告コンテンツを選択・視聴可能な、情報提供システムおよび情報提供方法に関する。
【０００２】
【従来の技術】
従来、広告コンテンツは放送コンテンツと一体的に放送局から送出されており、ユーザは、放映される広告コンテンツを受動的に見ることになり、希望する広告のみを視聴することが困難であった。
そこで、本件出願人は、ユーザが希望する広告コンテンツのみを視聴できる広告配信方法および広告表示方法を、特開２００２−１１８８４２において提案した。
【０００３】
【発明が解決しようとする課題】
この技術では、ユーザがデジタルテレビ受信機によって固定的環境で広告コンテンツを視聴する場合には対応できるが、モバイル環境で広告コンテンツを視聴する場合には対応できない。
それゆえに、この発明の主たる目的は、固定的環境だけではなくモバイル環境においても広告コンテンツを視聴する場合に対応できる、情報提供システムおよび情報提供方法を提供することである。
【０００４】
【課題を解決するための手段】
上述の目的を達成するために、請求項１に記載の情報提供システムは、広告コンテンツを配信する配信装置、配信装置からの広告コンテンツを固定的環境で視聴するための第１デジタル情報装置、および配信装置からの広告コンテンツをモバイル環境で視聴するための第２デジタル情報装置を備え、第１デジタル情報装置および第２デジタル情報装置の少なくともいずれか一方を用いて、視聴したい広告コンテンツを設定可能であり、第１デジタル情報装置は、設定された広告コンテンツの視聴履歴情報を配信装置に通知する手段を含み、第２デジタル情報装置は、設定された広告コンテンツを第２デジタル情報装置を用いて視聴したことを第１デジタル情報装置に通知する手段を含むことを特徴とする。
【０００５】
請求項２に記載の情報提供システムは、広告コンテンツを配信する配信装置、配信装置からの広告コンテンツを固定的環境で視聴するための第１デジタル情報装置、および配信装置からの広告コンテンツをモバイル環境で視聴するための第２デジタル情報装置を備え、第１デジタル情報装置および第２デジタル情報装置の少なくともいずれか一方を用いて、視聴したい広告コンテンツを設定可能であり、第１デジタル情報装置は、設定された広告コンテンツの視聴履歴情報を配信装置に通知する手段を含み、第２デジタル情報装置は、設定された広告コンテンツを第２デジタル情報装置を用いて視聴したことを第１デジタル情報装置を介さずに配信装置に通知する手段を含むことを特徴とする。
【０００６】
請求項３に記載の情報提供方法は、広告コンテンツを固定的環境で視聴するための第１デジタル情報装置および広告コンテンツをモバイル環境で視聴するための第２デジタル情報装置を用いる情報提供方法であって、視聴したい広告コンテンツを第１デジタル情報装置および第２デジタル情報装置の少なくともいずれか一方を用いて設定し配信装置に通知するステップ、設定された広告コンテンツを配信装置から第１デジタル情報装置および／または第２デジタル情報装置に送信するステップ、第２デジタル情報装置によって広告コンテンツを視聴したことを第２デジタル情報装置から第１デジタル情報装置に通知するステップ、ならびに第１デジタル情報装置と第２デジタル情報装置とによる広告コンテンツの視聴履歴情報を第１デジタル情報装置から配信装置に送信するステップを備える。
【０００７】
請求項４に記載の情報提供方法は、広告コンテンツを固定的環境で視聴するための第１デジタル情報装置および広告コンテンツをモバイル環境で視聴するための第２デジタル情報装置を用いる情報提供方法であって、視聴したい広告コンテンツを第１デジタル情報装置および第２デジタル情報装置の少なくともいずれか一方を用いて設定し配信装置に通知するステップ、設定された広告コンテンツを配信装置から第１デジタル情報装置および／または第２デジタル情報装置に送信するステップ、広告コンテンツの視聴履歴情報を第１デジタル情報装置から配信装置に送信するステップ、ならびに第２デジタル情報装置によって広告コンテンツを視聴したことを第２デジタル情報装置から第１デジタル情報装置を介さずに配信装置に通知するステップを備える。
【０００８】
この発明において、「固定的環境」とは、たとえば家庭やオフィスの或る特定の場所に据え置かれたホームサーバ等のデジタル情報装置を用いて情報にアクセスするホーム環境等をいう。「モバイル環境」とは、たとえば外出先からＰＤＡ（携帯情報端末）等のデジタル情報装置を用いて情報にアクセス可能なホットスポット環境等をいう。
【０００９】
請求項１に記載の情報提供システムでは、固定的環境だけではなくモバイル環境においても所望の広告コンテンツを視聴でき、所望の広告コンテンツをより視聴しやすくなる。また、モバイル環境における広告コンテンツの視聴回数をもそのユーザの視聴回数に加算できるので、たとえば視聴回数に応じてユーザに特典を与えている場合には、その特典をより得やすくなる。一方、広告主にとってはユーザの動向を正確に把握しやすくなり、より正確なマーケットリサーチが可能となる。請求項３に記載の情報提供方法についても同様である。
【００１０】
請求項２に記載の情報提供システムでは、請求項１と同様の効果が得られる。また、第２デジタル情報装置によって広告コンテンツを視聴した旨を第１デジタル情報装置を介することなくたとえばインターネット等を介して配信装置に通知することができる。したがって、モバイル環境において広告コンテンツを視聴したときにその情報を外出先から配信装置に送信できるので、ユーザにとってより利便性が向上する。請求項４に記載の情報提供方法についても同様である。
【００１１】
【発明の実施の形態】
図１を参照して、この発明の一実施形態の情報提供システム１０は、番組コンテンツ制作会社１２を含む。番組コンテンツ制作会社１２は番組コンテンツを制作する。番組コンテンツ制作会社１２によって制作された番組コンテンツは、放送局１４によって放送される。放送局１４によって放送された番組コンテンツは、各家庭やオフィス等に設けられ固定的環境を構成するホーム環境１６のホームサーバ１８によって受信され、ホームサーバ１８に接続されるテレビジョン受信機２０から出力される。ホームサーバ１８には、たとえばパーソナルコンピュータ等が用いられ、ホームサーバ１８は、動作を制御するためのＣＰＵ、情報等を記憶するための記憶部、インターネット等と接続するためのモデム通信部、およびＰＤＡ３０（後述）と通信するための外部インタフェース部を含む。
【００１２】
ホーム環境１６のホームサーバ１８には、インターネット、電話回線等を介して広告コンテンツ管理配信会社２２のサーバ２４が接続される。サーバ２４は、動作を制御するためのＣＰＵ、情報等を記憶するための記憶部、インターネット等と接続するためのモデム通信部、および各企業スポンサーと通信するための外部インタフェース部を含み、広告コンテンツ等を配信する。
【００１３】
広告コンテンツ管理配信会社２２は、テレビジョン受信機２０のユーザに広告選択等を行わせるためのホームページを開設している。テレビジョン受信機２０のユーザは、広告コンテンツ管理配信会社２２が開設しているホームページにアクセスして、自分が見たい広告コンテンツを選択しその視聴頻度を設定する。
広告コンテンツ管理配信会社２２は、各ホーム環境１６のホームサーバ１８毎に、ユーザによって選択された広告コンテンツ、視聴頻度情報、およびそれに対応するＵＲＬなどのコンテンツ識別情報を含む広告情報を、インターネット等を通じて一括送信する。ホームサーバ１８は、広告コンテンツ管理配信会社２２から一括送信されてきた広告コンテンツ、視聴頻度情報および広告情報を記憶部に記憶する。
【００１４】
ホームサーバ１８は、テレビジョン受信機２０の電源がオン（番組コンテンツが放映されている状態）となっているときに、各広告コンテンツをユーザによって設定された視聴頻度でテレビジョン受信機２０に表示させる。広告コンテンツの表示方法としては、子画面表示、バナー表示等がある。そして、ホームサーバ１８は、各広告コンテンツ毎にそれが表示された回数を、視聴履歴情報として記憶部に記憶する。
【００１５】
さらに、情報提供システム１０はモバイル環境を構成するホットスポット環境２６を含む。ホットスポット環境２６は、たとえばレストラン、公共施設等に設けられ、アクセスポイント２８を含み、アクセスポイント２８はインターネットを介して広告コンテンツ管理配信会社２２のサーバ２４に接続できる。ユーザはＰＤＡ３０を用いてホットスポット環境２６のアクセスポイント２８にアクセスすることによって、インターネットを介して広告コンテンツ管理配信会社２２のサーバ２４から提供される所望の広告コンテンツを視聴することができる。ＰＤＡ３０は、動作を制御するためのＣＰＵ、情報等を記憶するための記憶部、インターネット等と接続するためのモデム通信部、およびホームサーバ１８と通信するための外部インタフェース部を含む。
【００１６】
ユーザがＰＤＡ３０によって広告コンテンツを視聴すると、ＰＤＡ３０の記憶部に広告コンテンツのＵＲＬなどのコンテンツ識別情報が記録される。ＰＤＡ３０を用いて広告コンテンツを視聴したことを広告コンテンツ管理配信会社２２に通知するとき、ＰＤＡ３０に記録されたコンテンツ識別情報はホーム環境１６内のホームサーバ１８に送信され、そのコンテンツ識別情報に対応する（同じ広告コンテンツの）視聴履歴情報が更新される。
【００１７】
ホームサーバ１８は、広告視聴回数が所定回数となる毎にあるいは定期的に、視聴履歴情報をインターネット等を介して広告コンテンツ管理配信会社２２のサーバ２４に送信する。
このようにホーム環境１６だけではなくホットスポット環境２６での視聴をも含めた視聴履歴情報を、ホームサーバ１８から広告コンテンツ管理会社２２のサーバ２４に通知することができる。
【００１８】
広告コンテンツ管理配信会社２２は、各ホームサーバ１８から取得した視聴履歴情報に基づいて、各企業スポンサーＡ，Ｂ，Ｃ毎に、その企業の広告が視聴されたトータルの回数（トータル広告視聴回数）を算出して、各企業スポンサーＡ，Ｂ，Ｃに通知する。なお、この実施形態では、説明の便宜上、広告を出す企業スポンサーをＡ，Ｂ，Ｃで表す。
【００１９】
各企業スポンサーＡ，Ｂ，Ｃは、広告コンテンツ管理配信会社２２から報告されたトータル広告視聴回数に応じた（従量制によって決定された）広告放映料を番組コンテンツ制作会社１２に支払う。このとき、たとえば、各企業スポンサーＡ，Ｂ，Ｃが、広告コンテンツ管理配信会社２２からインターネット等を通じてトータル広告視聴回数の通知を受け、そのトータル広告視聴回数に応じた広告放映料を番組コンテンツ制作会社１２の口座に自動的に振り込むようにしてもよい。
【００２０】
なお、或る企業スポンサーの広告コンテンツを所定回数以上視聴したユーザに対して、特典を与えるようにしてもよい。
広告コンテンツ管理配信会社２２は、或るユーザが或る企業スポンサーの広告コンテンツを所定回数以上視聴したと判定した場合には、そのことをユーザ識別情報とともに、当該企業スポンサーに報告する。当該企業スポンサーは、当該ユーザに、割引券等を郵送する。また、当該ユーザが当該企業スポンサーの商品をクレッジットカードで購入した際に、キャッシュバックを行なうようにしてもよい。また、当該企業スポンサーが顧客に対してポイントカードを発行している場合には、当該ユーザに対するポイントカードのポイントを加算するようにしてもよい。
【００２１】
このような情報提供システム１０に含まれるホームサーバ１８およびＰＤＡ３０に関する主要な動作を、図２を参照して説明する。
まず、広告コンテンツ管理配信会社２２のサーバ２４にホームサーバ１８からユーザ識別情報が送信され（ステップＳ１）、ユーザによって広告企業、広告カテゴリーおよび広告視聴頻度が設定されサーバ２４に通知される（ステップＳ３）。
【００２２】
ユーザによる広告企業、広告カテゴリーおよび広告視聴頻度はたとえば次のように設定される。
まず、広告コンテンツ管理配信会社２２のホームページ（Ｗｅｂページ）にアクセスすると、テレビジョン受信機２０に図３に示すような広告選択画面が表示される。
広告選択画面には、広告企業リスト３２が表示されており、広告企業リスト３２から広告コンテンツを視聴したい企業を選択すると、第１階層の広告カテゴリーリスト３４がプルダウンメニュー形式で表示される。
【００２３】
第１階層の広告カテゴリーリスト３４から広告コンテンツを視聴したいカテゴリーを選択すると、第２階層の広告カテゴリーリスト３６がプルダウン形式で表示される。
第２階層の広告カテゴリーリスト３６から、ユーザが自分が視聴したい広告項目を選択すると、図４に示すような広告視聴頻度入力画面が表示される。
広告視聴頻度入力画面には、ユーザが選択した広告情報（会社名３８、第１階層の広告カテゴリーリスト３４から選択された項目４０および第２階層の広告カテゴリーリスト３６から選択された項目４２）、その広告コンテンツを視聴したい頻度を示す視聴頻度情報４４および視聴頻度情報設定部４６が表示される。
ユーザは、現在アクティブとなっている広告情報に対して、視聴頻度情報設定部４６を用いて視聴頻度を設定する。この例では、視聴頻度は、１時間に視聴したい回数を表す。
【００２４】
図２に戻って、その後、広告コンテンツ管理配信会社２２からの広告コンテンツがホームサーバ１８によって受信され（ステップＳ５）、広告コンテンツを特定するたとえばＵＲＬ等のコンテンツ識別情報がホームサーバ１８の記憶部に記憶され（ステップＳ７）、広告視聴回数Ｎ＝０が設定される（ステップＳ９）。そして、ホームサーバ１８からテレビジョン受信機２０に広告コンテンツが送信され、テレビジョン受信機２０から広告コンテンツが出力されユーザが視聴すると（ステップＳ１１）、広告視聴回数が１インクリメントされ（ステップＳ１３）、広告視聴回数が、設定された広告視聴頻度より少ないか否かが判断される（ステップＳ１５）。広告視聴回数が広告視聴頻度より少なければステップＳ１１に戻り、一方、広告視聴回数が広告視聴頻度と等しくなれば、広告コンテンツ管理配信会社２２に広告視聴回数を示す視聴履歴情報が送信される（ステップＳ１７）。
【００２５】
一方、ホットスポット環境２６においてＰＤＡ３０に出力された広告コンテンツをユーザが視聴すると（ステップＳ１９）、視聴した広告コンテンツを特定するたとえばＵＲＬなどのコンテンツ識別情報がＰＤＡ３０の記憶部に記憶される（ステップＳ２１）。その後、ホームサーバ１８との通信が開始され（ステップＳ２３）、ＰＤＡ３０の記憶部に記憶されたコンテンツ識別情報と、先にユーザによって設定された視聴すべき広告コンテンツのコンテンツ識別情報とが一致するか否かが判断され（ステップＳ２５）、両者が一致すれば、ホームサーバ１８にはコンテンツ識別情報が送信され、ステップＳ１３において広告視聴回数が１インクリメントされる。このようにして、ＰＤＡ３０を用いて広告コンテンツを視聴したことがホームサーバ１８に通知される。一方、ステップＳ２５において、ＰＤＡ３０の記憶部に記憶されたコンテンツ識別情報をホームサーバ１８の記憶部に記憶されたすべてのコンテンツ識別情報と比較したがコンテンツ識別情報が一致しない場合には、ＰＤＡ３０はホームサーバ１８との通信を終了する（ステップＳ２７）。
【００２６】
このような情報提供システム１０によれば、ホーム環境１６だけではなくホットスポット環境２６においても所望の広告コンテンツを視聴することができ、所望の広告コンテンツをより視聴しやすくなる。また、ユーザから広告コンテンツ管理配信会社２２に送信する視聴履歴情報には、ホットスポット環境２６で広告コンテンツを視聴した回数を示す情報が含まれる。したがって、ユーザの広告視聴回数に応じて企業スポンサーが広告放映料を番組コンテンツ制作会社１２に支払うようなビジネスモデルにおいて、ホーム環境１６だけではなく、ＰＤＡ３０等のモバイル機器を用いてホットスポット環境２６で広告コンテンツを視聴するような場合にも対応できる。たとえば広告コンテンツの視聴回数に応じて特典が付与されている場合には、ユーザはその特典を得やすくなる。一方、広告主である企業スポンサーは、広告がどれだけ効果的に視聴されているか等ユーザの嗜好に関する情報をより正確に取得できるため、マーケットリサーチが容易になる。また、広告視聴回数に応じて広告放映料が決定されるので、費用対効果に優れ、効果的に広告コンテンツを配信できるので、企業スポンサー数を増やすことができる。
なお、ＰＤＡ３０によって広告コンテンツを複数回視聴したときには、図２のステップＳ１３において、広告視聴回数をその複数回数分インクリメントすればよい。
【００２７】
また、上述の実施形態では、ＰＤＡ３０に記録されたコンテンツ識別情報はホームサーバ１８に送信されたが、これに限定されず、コンテンツ識別情報はユーザ識別情報とともにホットスポット環境２６等からインターネットを介して（ホームサーバ１８を介することなく）広告コンテンツ管理会社２２のサーバ２４に直接通知されてもよい。この場合、サーバ２４は、ＰＤＡ３０からのコンテンツ識別情報を受信すると、ユーザがホットスポット環境２６において広告コンテンツを視聴したことを認識できるので、サーバ２４で同一広告コンテンツの視聴履歴情報が更新される。
【００２８】
この場合も、先の実施形態の場合と同様の効果が得られる。さらに、ＰＤＡ３０によって視聴した旨をホームサーバ１８を介することなくインターネット等を介して広告コンテンツ配信装置２２に通知できるので、モバイル環境において広告コンテンツを視聴したときにその情報を外出先から広告コンテンツ配信装置２２に送信でき、ユーザにとって利便性が向上する。
【００２９】
さらに、ＰＤＡ３０によって広告コンテンツを視聴したとき、ＰＤＡ３０による広告視聴回数を示す視聴履歴情報が、ＰＤＡ３０からインターネットを介して広告コンテンツ管理配信会社２２のサーバ２４に送信されてもよい。この場合、その後、サーバ２４において、既に記憶されている同一広告コンテンツの視聴履歴情報が更新される。
【００３０】
また、広告コンテンツをホームサーバ１８に送信する方法として、次のような方法が採用されてもよい。
広告コンテンツ管理配信会社２２は、ホームサーバ１８毎に、そのユーザによって選択された広告情報に対応した広告コンテンツを、そのユーザによって選択された視聴頻度情報に応じた時間間隔で送信する。ただし、広告コンテンツ管理配信会社２２は、送信時には、ホームサーバ１８およびテレビジョン受信機２０の電源がオン（番組コンテンツが放映されている状態）となっているか否かを確認し、ホームサーバ１８およびテレビジョン受信機２０の電源がオンとなっている場合にのみ広告コンテンツを送信する。この場合には、広告コンテンツ管理配信会社２２のサーバ２４が、各ホームサーバ１８毎の視聴履歴情報を直接管理し、ホームサーバ１８は、広告コンテンツ管理配信会社２２から広告コンテンツを受信する毎に、受信した広告コンテンツをリアルタイムでテレビジョン受信機２０に表示させる。
【００３１】
さらに、上述のように広告コンテンツを配信する前提として、各企業スポンサーがユーザに対して付与する特典およびユーザがその特典を享受するための広告コンテンツの視聴条件からなるユーザメリット情報をユーザに提示して、ユーザが希望するユーザメリットをユーザに選択させるようにしてもよい。
【００３２】
たとえば、広告コンテンツ管理配信会社２２のホームページにおいて、ユーザメリットの閲覧要求がユーザによって指定された場合には、図５に示すように、ユーザが希望する商品（またはサービス）を選択させるための商品選択画面が表示される。
商品選択画面には、購入を希望するかレンタルを希望するかをユーザに選択させるための目的リスト４８が表示されており、目的リスト４８から「購入」または「レンタル」を選択すると、第１階層の商品カテゴリーリスト５０がプルダウンメニュー形式で表示される。
【００３３】
第１階層の商品カテゴリーリスト５０から購入またはレンタルしたい商品カテゴリーを選択すると、その商品カテゴリーに属する第２階層の商品カテゴリーリスト５２がプルダウンメニュー形式で表示される。
そして、第２階層の商品カテゴリーリスト５２から、ユーザが購入またはレンタルを希望する商品カテゴリーを選択すると、図６に示すように、ユーザが選択した目的（購入またはレンタル）および商品カテゴリーに応じたユーザメリット選択画面が表示される。
【００３４】
ユーザメリット選択画面には、ユーザが選択した目的（購入またはレンタル）および商品カテゴリーに応じた特典および視聴条件を含むユーザメリット情報が表示される。図６は、図５の商品選択画面において、目的として「購入」が、商品カテゴリーとして「コンピュータ」がユーザによって選択された場合のユーザメリット選択画面の例を示している。
【００３５】
ユーザメリット選択画面には、この例では、３種類のユーザメリット情報がチエックボックスとともに表示されている。各ユーザメリット情報は、上から順に次のような意味を持っている。
（１）Ａ株式会社のコンピュータに関する広告コンテンツを１カ月に１０回以上視聴した場合に、Ａ株式会社のコンピュータを３％割引する。
（２）Ｂ株式会社のコンピュータに関する広告コンテンツを１カ月に２０回以上視聴した場合に、Ｂ株式会社のコンピュータを５％割引する。
（３）Ｃ株式会社のコンピュータに関する広告コンテンツを１カ月に２５回以上視聴した場合に、Ｃ株式会社のコンピュータを８％割引する。
【００３６】
ユーザは、享受したいユーザメリットに対応するチェックボックスにチェックを入れる。
広告コンテンツ管理配信会社２２は、各ホームサーバ１８毎に、各ユーザの視聴履歴情報を管理しているので、ユーザが選択したユーザメリットに対応する広告コンテンツの視聴条件を満たした場合には、当該ユーザメリットを提供している企業ユーザに、その旨を報告する。企業スポンサーは、その報告に基づいて、そのユーザメリットに応じた特典を対応するユーザに付与する。
【００３７】
なお、この発明において、ホットスポット環境２６等のモバイル環境で用いられるデジタル情報装置としては、ＰＤＡ３０だけではなく、携帯電話や携帯型パーソナルコンピュータ等のモバイル機器が用いられてもよい。
また、ＰＤＡ３０を用いて、視聴したい広告コンテンツの選択や視聴頻度の設定等が行われ、それらの情報がサーバ２４に通知されてもよい。
さらに、視聴履歴情報は、テレビジョン受信機２０によって広告コンテンツを視聴する毎にホームサーバ１８からサーバ２４へ送信されてもよい。
【００３８】
【発明の効果】
この発明によれば、所望の広告コンテンツをより視聴しやすくなる。また、視聴回数に応じてユーザに特典を与えている場合にはユーザはその特典をより得やすくなり、一方、広告主はより正確なマーケットリサーチが可能となる。
また、モバイル環境において広告コンテンツを視聴したことを、インターネット等を介して配信装置に通知可能にすることによって、ユーザにとってより利便性が向上する。
【図面の簡単な説明】
【図１】この発明の一実施形態を示す図解図である。
【図２】この発明の動作の一例を示すフロー図である。
【図３】広告コンテンツ管理会社が提供するホームページ（Ｗｅｂページ）によって提供される広告選択画面の一例を示す図解図である。
【図４】広告視聴頻度入力画面の一例を示す図解図である。
【図５】商品選択画面の一例を示す図解図である。
【図６】ユーザメリット選択画面の一例を示す図解図である。
【符号の説明】
１０　　　情報提供システム
１２　　　番組コンテンツ制作会社
１４　　　放送局
１６　　　ホーム環境
１８　　　ホームサーバ
２０　　　テレビジョン受信機
２２　　　広告コンテンツ管理配信会社
２４　　　サーバ
２６　　　ホットスポット環境
３０　　　ＰＤＡ
Ａ，Ｂ，Ｃ　　　企業スポンサー
【図１】
2004005080.tif 000003
【図２】
2004005080.tif 000004
【図３】
2004005080.tif 000005
【図４】
2004005080.tif 000006
【図５】
2004005080.tif 000007
【図６】
2004005080.tif 000008